(57)【特許請求の範囲】
【請求項１】
キャップ付き容器のキャップ部分に装着される、厚さが０．１〜１ｍｍのプラスチックシートによって形成されたキャップ状ラベルであって、
前記キャップ部分の外周に嵌め込まれる、前記プラスチックシートのスプリングバック作用によって前記キャップ部分を挟持する筒状の保持部と、
前記保持部から外方に張り出すフラップとを備え、
前記保持部には、前記キャップ部分または容器に形成された段部に係合する抜止部が形成されているキャップ状ラベル。
【請求項２】
前記保持部には、前記キャップ部分に形成された、径方向外側に突出する突出部に係合する廻止部が形成されている請求項１に記載のキャップ状ラベル。
【請求項３】
キャップ付き容器における内容物を注出するための注出ノズルを有するキャップ部分に装着される、厚さが０．１〜１ｍｍのプラスチックシートによって形成されたキャップ状ラベルであって、
前記キャップ部分の外周に嵌め込まれる筒状の保持部と、
前記注出ノズルを挟み込むように、前記保持部から外方に張り出す一対のフラップとを備え、
前記保持部には、前記注出ノズルに係合する抜止部が形成されているキャップ状ラベル。
【請求項４】
前記保持部には、前記フラップを摘んで引っ張ることによって破断させる破断部が形成されている請求項１、２または３に記載のキャップ状ラベル。
【発明の詳細な説明】
【０００１】
【発明の属する技術分野】
この発明は、シャンプーやリンスといった液体商品等を充填するキャップ付き容器のキャップ部分に装着することによって、表示を施し販売促進効果を高めることができるキャップ状ラベルに関する。
【０００２】
【従来の技術及び発明が解決しようとする課題】
図１８に示すように、従来から、容器本体５１の口部をキャップ５２によって開閉することができるキャップ付き容器５０には、キャップ５２の開封を防止するため、シュリンクフィルムによって形成されたキャップシール６１が装着される場合があるので、そういった場合には、装着されるキャップシール６１に種々の表示を印刷しておくことで、キャップ付き容器５０内に充填された液体商品等の販売促進効果を高めることが考えられる。
【０００３】
しかしながら、キャップ５２自体は、容器本体５１に比べてそれほど大きくないので、そのキャップ部分に装着されるキャップシール６１に表示を施すといっても人の目を引く程度の表示面積を確保することができず、十分な販売促進効果を期待することができないのが現状である。
【０００４】
このため、図１９に示すように、種々の表示が印刷されたタックラベル６２を、キャップ５２から上方に立ち上がるように、キャップ５２の外周面に貼着することで、表示面積を確保することも考えられるが、湾曲したキャップ５２の外周面にタックラベル６２を貼着するためには、ラベル自体の厚みを必要以上に大きくすることができないので、結果としてラベル自体に腰がない状態となる。従って、タックラベル６２をキャップ５２に貼着した状態でキャップ付き容器５０を輸送するような場合、輸送中にタックラベル６２に皺が発生したり、タックラベル６２が折れ曲がったりして見栄えが悪くなるといった問題がある。
【０００５】
また、キャップ５２の外周面には、開閉の際に滑らないように、上下方向に伸びる多数の溝５２ａが形成されているものがあり、このように凹凸が形成されたキャップ５２の外周面にタックラベル６２を貼着する場合、タックラベル６２の粘着力が弱いと、貼着したタックラベル６２が簡単に剥がれてしまうといった問題もある。
【０００６】
逆に、キャップ５２の外周面にタックラベル６２を確実に保持するために、タックラベル６２の粘着力を大きくすると、商品の購入者がタックラベル６２を剥がして容器５０を取り扱う際に、タックラベル６２の一部がキャップ５２に貼り付いた状態で残ってしまい、使用時の見栄えが悪くなるといった新たな問題が発生する。
【０００７】
そこで、この発明の課題は、販売促進効果を期待することができる程度の表示面積を確保することができ、しかも、販売時及び使用時における見栄えを損なうことのないキャップ状ラベルを提供することにある。
【０００８】
【課題を解決するための手段及びその効果】
上記の課題を解決するため、この発明は、キャップ付き容器のキャップ部分に装着される、厚さが０．１〜１ｍｍのプラスチックシートによって形成されたキャップ状ラベルであって、前記キャップ部分の外周に嵌め込まれる、前記プラスチックシートのスプリングバック作用によって前記キャップ部分を挟持する筒状の保持部と、前記保持部から外方に張り出すフラップとを備え、前記保持部には、前記キャップ部分または容器に形成された段部に係合する抜止部が形成されているキャップ状ラベルを提供するものである。
【０００９】
以上のように構成されたキャップ状ラベルは、キャップの外周を取り巻いている保持部のみならず、保持部から張り出したフラップにも表示を施すことができるので、従来のキャップシールに比べて大きな表示面積を確保することができ、十分な販売促進効果を発揮させることが可能となる。しかも、ラベル全体が腰のある厚さが０．１〜１ｍｍのプラスチックシートによって形成されているので、このキャップ状ラベルを装着した状態で容器を輸送する際にフラップに皺が発生したり、折れ曲がったりすることがなく、常に見栄えの良い状態を維持することができる。
【００１０】
また、保持部自体はキャップに接着されているわけではないが、プラスチックシートのスプリングバック作用によってキャップ部分を挟持すると共に、キャップ部分または容器に形成された段部に係合する抜止部が形成されているので、キャップ部分から簡単に外れることがなく、店頭に陳列した状態では、確実に販売促進効果が発揮される。
【００１１】
また、請求項２に記載のキャップ状ラベルのように、前記キャップ部分に形成された径方向外側に突出する突出部に係合する廻止部が前記保持部に形成されているものにあっては、表示効果の大きいフラップが常に所定位置に保持されるので、整然とした状態で店頭に陳列することができ、さらに販売促進効果を高めることができる。
【００１２】
また、請求項３に記載のキャップ状ラベルのように、キャップ付き容器における内容物を注出するための注出ノズルを有するキャップ部分に装着される、厚さが０．１〜１ｍｍのプラスチックシートによって形成されたキャップ状ラベルであって、前記キャップ部分の外周に嵌め込まれる筒状の保持部と、前記注出ノズルを挟み込むように、前記保持部から外方に張り出す一対のフラップとを備え、前記保持部に、前記注出ノズルに係合する抜止部が形成されているものにあっては、表示効果の大きいフラップが常に注出ノズルの両側に確実に位置決めされると共に、そのフラップによって注出ノズルが保護されるという効果が得られる。
【００１３】
また、請求項４に記載のキャップ状ラベルのように、前記保持部に、前記フラップを摘んで引っ張ることによって破断させる破断部が形成されているものにあっては、フラップを摘んで引っ張るだけで保持部を容易に切断することができるので、商品の購入者はキャップ状ラベルを簡単に取り外すことができる。
【００１４】
【発明の実施の形態】
以下、実施の形態について図面を参照して説明する。図１（ａ）、（ｂ）及び図２に示すように、このキャップ状ラベル１は、開閉蓋Ａｃを有するキャップＡｂが容器本体Ａａの口部に取り付けられたシャンプー容器ＡのキャップＡｂ部分に装着されるものであり、キャップＡｂの外周に嵌め込まれる筒状の保持部１０と、この保持部１０から外側に張り出すフラップ２０とを備えている。
【００１５】
このキャップ状ラベル１は、図３に示すように、ポリプロピレンやポリエステル等によって形成された厚さ０．１〜１ｍｍ程度のプラスチックシートからなる帯状のラベル形成基材１ａから形成されており、保持部１０及びフラップ２０には、容器Ａ内に充填されるシャンプーに関する種々の表示が予め印刷されている。
【００１６】
前記ラベル形成基材１ａは、同図に示すように、平面状に展開された保持部１０の一端側に折目線（溝状、ミシン目状等の折曲罫線）１ｂを介してフラップ２０が連設されたものであり、保持部１０は筒状に形成されたときに露出する本体部１１と、この本体部１１に折目線１ｃを介して連設された、本体部１１の一端側の内面に重ね合わされる重合部１４とから構成されている。
【００１７】
前記本体部１１には、その長手方向に二つ折りするための折目線１ｄが形成されており、その長手方向の中央部の上端側に、キャップＡｂの開閉蓋Ａｃに形成された操作用突起Ａｄに係合する切欠部１２が形成されている。この切欠部１２には、その両側縁から内側に張り出す左右一対の舌片１３が連設されており、この舌片１３が操作用突起Ａｄの先端を部分的に覆うようになっている。
【００１８】
前記重合部１４には、その一端側に切目１６によって接着代となる舌片１５が形成されており、この舌片１５の基端部、即ち、切目１６の両端部からそれぞれ重合部１４の他端側に延びる破断部としてのミシン目１７が形成されている。
【００１９】
以上のように構成されたラベル形成基材１ａから、上述したようなキャップ状ラベル１を形成するには、先ず、舌片１５の外面にホットメルト等の接着剤を塗布した状態で、本体部１１を折目線１ｄによって内面側に二つ折りにする。そして、重合部１４を折目線１ｃによって本体部１１の内面側に折り返した後、舌片１５を本体部１１の一端側の内面に接着剤を介して接着することで、保持部１０を筒状に形成すると、図４に示すように、折り畳まれた状態のキャップ状ラベル１が出来上がる。
【００２０】
このようにして形成された、折り畳まれた状態のキャップ状ラベル１の保持部１０を筒状に開いてシャンプー容器ＡのキャップＡｂに被せると、図２に示すように、開閉蓋Ａｃに形成された操作用突起Ａｄが保持部１０に形成された切欠部１２に嵌り込んだ状態で、シャンプー容器ＡのキャップＡｂ部分にキャップ状ラベル１が装着される。
【００２１】
この状態では、折り目の折り癖によって折り畳み状態に戻ろうとするスプリングバック作用によって、保持部１０がキャップＡｂを挟持すると共に、図５に示すように、切欠部１２の下端縁が操作用突起Ａｄの下縁の内側に入り込むことで、キャップＡｂに対するキャップ状ラベル１の抜け止め機能と廻り止め機能の双方が発揮される。
【００２２】
また、シャンプーの購入者は、図６に示すように、フラップ２０を摘んでミシン目１７の形成方向に引っ張ると、ミシン目１７が容易に破断して保持部１０が切断されるので、キャップ状ラベル１の取り外しも容易に行うことができる。
【００２３】
以上のように構成されたキャップ状ラベル１は、キャップＡｂの外周を覆っている保持部１０及び保持部１０から張り出したフラップ２０の双方に、容器内に充填される商品（シャンプー）に関する表示を施すことができるので、従来のキャップシールに比べて大きな表示面積を確保することができ、十分な販売促進効果を発揮させることが可能となる。
【００２４】
また、ラベル全体が、厚さ０．１〜１ｍｍといった腰のあるプラスチックシートによって形成されているので、このキャップ状ラベル１を装着した状態でシャンプー容器Ａを輸送した場合でも、従来のタックラベルのように、外側に張り出したフラップ２０に皺が発生したり、折れ曲がったりすることがなく、常に見栄えの良い状態を維持することができる。
【００２５】
また、このキャップ状ラベル１は、上述したように、キャップＡｂの開閉蓋Ａｃに形成された操作用突起Ａｄが嵌り込む切欠部１２を保持部１０に形成することによって、キャップＡｂに対するキャップ状ラベル１の抜け止め機能及び廻り止め機能を発揮させるようにしたため、輸送の際や陳列の際にキャップ状ラベル１がキャップＡｂから外れたり、位置ずれしたりすることがない。
【００２６】
また、舌片１３が開閉蓋Ａｃの操作用突起Ａｄを部分的に覆っているので、店頭で陳列した際に、簡単に開閉蓋Ａｃを開けることができなくなり、店頭でのいたずら等を有効に防止することができる。
【００２７】
図７及び図８は、他の実施形態を示している。このキャップ状ラベル２は、注出ノズルＢｄを有するキャップＢｂが容器本体Ｂａの口部に取り付けられたシャンプー容器ＢのキャップＢｂ部分に装着されるものであり、基本的な構成は上述したキャップ状ラベル１と同一であるので、共通の構成要素には同一符号を付してその説明を省略し、異なる部分について説明する。
【００２８】
このキャップ状ラベル２は、図８に示すようなラベル形成基材２ａから形成されるものであり、保持部１０の本体部１１に形成された切欠部１２ａに注出ノズルＢｄの基端部が嵌り込むことで、キャップ状ラベル２の抜け止め機能と廻り止め機能とが発揮されるようになっている。なお、ラベル形成基材２ａからキャップ状ラベル２を形成する方法は、上述したキャップ状ラベル１と同様ゆえ、その説明は省略する。
【００２９】
図９ないし図１１は、他の実施形態を示している。このキャップ状ラベル３は、スクリューキャップＣｂによって容器本体Ｃａの口部を開閉するボトル容器ＣのスクリューキャップＣｂ部分に装着されるものであり、基本的な構成は上述したキャップ状ラベル１と同一であるので、共通の構成要素には同一符号を付してその説明を省略し、異なる部分について説明する。
【００３０】
上述したキャップ状ラベル１では、保持部１０にキャップＡｂの開閉蓋Ａｃに形成された操作用突起Ａｄが嵌り込む切欠部１２を形成しているが、このボトル容器Ｃの場合、スクリューキャップＣｂにはそういった突出部分が存在しないので、抜け止め機能及び廻り止め機能を有する切欠部１２は形成されておらず、本体部１１の下部にスクリューキャップＣｂの下端縁に係合する一対のスリット１２ｂが形成されている。
【００３１】
従って、このキャップ状ラベル３の場合は、スクリューキャップＣｂに対する抜止め機能は発揮されるが、スクリューキャップＣｂの周方向への廻り止め機能は発揮されないことになる。
【００３２】
また、この実施形態では、スクリューキャップＣｂの下端部に係合するスリット１２ｂによってキャップ状ラベル３の抜止めを行っているが、例えば、図１２に示すように、スリット１２ｂに代えて切目１２ｃを形成することによって、キャップ状ラベル３の抜け止めを行うことも可能である。但し、切目１２ｃによって抜け止めを行う場合は、切目１２ｃの下側がスクリューキャップＣｂの下端縁の内側に入り込み易くするために、同図に示すように、切目１２ｃの両端部に小孔を形成しておくことが望ましい。
【００３３】
図１３ないし図１５は他の実施形態を示している。図１３及び図１４に示すように、このキャップ状ラベル４は、注出ノズルＢｄを有するキャップＢｂが容器本体Ｂａの口部に取り付けられたシャンプー容器ＢのキャップＢｂ部分に装着されるものであり、キャップＢｂの外周に嵌め込まれる筒状の保持部３０と、注出ノズルＢｄを挟み込むように、保持部３０から外方に張り出す一対のフラップ４０とを備えている。
【００３４】
このキャップ状ラベル４は、図１５に示すように、厚さ０．１〜１ｍｍ程度のプラスチックシートからなる帯状のラベル形成基材４ａから形成されており、保持部３０及びフラップ４０には、容器内に充填されるシャンプーに関する種々の表示が予め印刷されている。
【００３５】
前記ラベル形成基材４ａは、同図に示すように、平面状に展開された保持部３０の両端側に折目線４ｂ、４ｃを介して一対のフラップ４０が連設されたものであり、保持部３０には、その長手方向に二つ折りするための折目線４ｄが形成されている。
【００３６】
一方のフラップ４０には、その基端部側に切目４２によって接着代となる舌片４１が形成されており、この舌片４１の基端部、即ち、切目４２の両端部からそれぞれ保持部３０側に延びて、その先端部が相互に一致する破断部としてのミシン目３１が形成されている。
【００３７】
以上のように構成されたラベル形成基材４ａから、上述したようなキャップ状ラベル４を形成するには、先ず、舌片４１を折目線４ｃで保持部３０の内面側に折り返した状態で、舌片４１の先端部外面に接着剤を塗布する。そして、保持部３０を折目線４ｄによって二つ折りして、舌片４１を接着剤を介して保持部３０の内面に接着することで、保持部３０を筒状に形成する。最後に、保持部３０を筒状に開き、折目線４ｂ、４ｃによって一対のフラップ４０を適当に折り曲げると、図１３に示すようなキャップ状ラベル４が出来上がる。
【００３８】
このようにして形成されたキャップ状ラベル４は、その保持部３０の両端部を相互に連結している舌片４１の上部に注出ノズルＢｄを通すようにしてシャンプー容器ＢのキャップＢｂに被せると、両フラップ４０間に注出ノズルＢｄが挟み込まれた状態で、キャップ状ラベル４がシャンプー容器ＢのキャップＢｂ部分に装着される。
【００３９】
この状態では、スプリングバック作用によって、保持部３０がキャップＢｂを挟持すると共に、図１４に示すように、舌片４１による保持部３０の連結部分の上部側に注出ノズルＢｄが嵌り込むことで、キャップＢｂに対するキャップ状ラベル４の抜け止め機能が発揮され、しかも、注出ノズルＢｄは一対のフラップ４０間に位置しているので、同時に廻り止め機能も発揮される。
【００４０】
また、シャンプーの購入者は、舌片４１が切り起こされた一方のフラップ４０を摘んでミシン目３１の形成方向に引っ張ると、ミシン目３１が容易に破断して舌片４１が保持部３０から切り離されるので、キャップ状ラベル４の取り外しも容易に行うことができる。
【００４１】
以上のように構成されたキャップ状ラベル４は、上述した各実施形態のキャップ状ラベルと同様の効果が得られると共に、注出ノズルＢｄが一対のフラップ４０によって挟み込まれているので、そのフラップ４０によって注出ノズルＢｄが保護されるという効果が得られる。
【００４２】
また、この実施形態では、保持部３０の両端部を相互に連結する舌片４１を、一方のフラップ４０から切り起こしているが、このような構成を採用すると、一方のフラップ４０を表示部として有効に使用することができないので、図１６及び図１７に示すように、保持部３０の両端部を相互に連結する舌片３２を保持部３０側から切り起こすことが好ましい。
【００４３】
なお、保持部３０側から連結用の舌片３２を切り起こした場合は、図１７に示すように、折目線４ｃの代わりに破断部としてのミシン目３３を形成しておくことで、舌片３２を容易に保持部３０から切り離すことができる。
【００４４】
また、上述した各実施形態では、キャップ状ラベル１、２、３、４をプラスチックシートによって形成しているが、これに限定されるものではなく、ある程度の腰を有するものであれば、例えば、厚紙や合成紙等によって形成することも可能である。
【００４５】
また、上述した各実施形態では、キャップＡｂ、Ｂｂ部分に形成された操作用突起Ａｄ、注出ノズルＢｄ及びキャップＣｂの下端縁に切欠部１２、１２ａやスリット１２ｂ等の抜止部を係合させることによって、キャップＡｂ、Ｂｂ、Ｃｂに対するキャップ状ラベル１、２、３、４の抜け止めを行っているが、必ずしも、抜止部をキャップに対して係合させる必要はなく、容器本体に形成された段部等に係合させることで、キャップ状ラベルの抜け止めを行うことも可能である。
【００４６】
また、上述した各実施形態では、筒状の保持部１０、３０を切断するために破断部としてのミシン目１７、３１、３３を形成しているが、破断部は必ずしも必要なものではない。例えば、キャップ状ラベル１、２、３のように、切目１６の端部から破断させる場合は、ミシン目１７を形成しなくてもよい。但し、キャップ状ラベル４のように、切目４２の端部から破断させる場合であっても、その破断方向が限定される場合は、ミシン目３１を形成しておく必要がある。
【図面の簡単な説明】
【図１】（ａ）、（ｂ）はこの発明にかかるキャップ状ラベルの一実施形態を示す斜視図である。
【図２】同上のキャップ状ラベルをシャンプー容器のキャップ部分に装着した状態を示す斜視図である。
【図３】同上のキャップ状ラベルを形成するためのラベル形成基材を示す平面図である。
【図４】同上のキャップ状ラベルを折り畳んだ状態を示す斜視図である。
【図５】同上のキャップ状ラベルをシャンプー容器のキャップ部分に装着した状態を示す側面図である。
【図６】シャンプー容器のキャップ部分に装着された同上のキャップ状ラベルの取り外し方法を示す斜視図である。
【図７】他の実施形態であるキャップ状ラベルをシャンプー容器のキャップ部分に装着した状態を示す斜視図である。
【図８】同上のキャップ状ラベルを形成するためのラベル形成基材を示す平面図である。
【図９】（ａ）、（ｂ）はキャップ状ラベルの他の実施形態を示す斜視図である。
【図１０】（ａ）、（ｂ）は同上のキャップ状ラベルをボトル容器のスクリューキャップ部分に装着した状態を示す斜視図である。
【図１１】同上のキャップ状ラベルを形成するためのラベル形成基材を示す平面図である。
【図１２】同上のラベル形成基材の変形例を示す平面図である。
【図１３】キャップ状ラベルの他の実施形態を示す斜視図である。
【図１４】同上のキャップ状ラベルをシャンプー容器のキャップ部分に装着した状態を示す斜視図である。
【図１５】同上のキャップ状ラベルを形成するためのラベル形成基材を示す平面図である。
【図１６】同上のキャップ状ラベルの変形例を示す斜視図である。
【図１７】同上のキャップ状ラベルを形成するためのラベル形成基材を示す平面図である。
【図１８】背景技術を示す斜視図である。
【図１９】背景技術を示す斜視図である。
【符号の説明】
１、２、３、４  キャップ状ラベル
１０、３０  保持部
１２、１２ａ  切欠部（抜止部、廻止部）
１２ｂ  スリット（抜止部）
１２ｃ  切目（抜止部）
１７、３１、３３  ミシン目（破断部）
２０、４０  フラップ
Ａ、Ｂ  シャンプー容器
Ｃ  ボトル容器
Ａａ、Ｂａ、Ｃａ  容器本体
Ａｂ、Ｂｂ  キャップ
Ｃｂ  スクリューキャップ
Ａｄ  操作用突起
Ｂｄ  注出ノズル
【図１】
0004346053.tif 000002
【図２】
0004346053.tif 000003
【図３】
0004346053.tif 000004
【図４】
0004346053.tif 000005
【図５】
0004346053.tif 000006
【図６】
0004346053.tif 000007
【図７】
0004346053.tif 000008
【図８】
0004346053.tif 000009
【図９】
0004346053.tif 000010
【図１０】
0004346053.tif 000011
【図１１】
0004346053.tif 000012
【図１２】
0004346053.tif 000013
【図１３】
0004346053.tif 000014
【図１４】
0004346053.tif 000015
【図１５】
0004346053.tif 000016
【図１６】
0004346053.tif 000017
【図１７】
0004346053.tif 000018
【図１８】
0004346053.tif 000019
【図１９】
0004346053.tif 000020